(57)【要約】【課題】犬や動物などの四足動物の足が怪我したときに、動物自身が傷口をなめることによるばい菌の侵入を防ぐ動物用傷保護具を提供する。【解決手段】犬や猫等の四足動物の前足あるいは後足を挿入できる傷あて部を有する保護具本体と、該保護具本体を装着状態で体に固定する固定具とより構成される。【選択図】  図１
2004283530.tif 000002
【特許請求の範囲】
【請求項１】
犬や猫等の四足動物の前足あるいは後足を挿入できる傷あて部を有する保護具本体と、該保護具本体を装着状態で体に固定する固定具とよりなる動物用傷保護具。
【請求項２】
保護具側面に開閉手段を有することを特徴とする請求項１記載の動物用傷保護具。
【請求項３】
保護具に足形状に近似させるための緊縛機構を設けたことを特徴とずる請求項１又は２記載の動物用傷保護具。
【請求項４】
保護具が伸縮性素材よりなるものであることを特徴とする請求項１、２又は３記載の動物用傷保護具。
【発明の詳細な説明】
【０００１】
【発明の属する技術分野】
本発明は、犬や動物などの四足動物の足が怪我したときに、動物自身が傷口をなめることによるばい菌の侵入を防ぐ動物用傷保護具に関するものである。
【０００２】
【従来の技術】
従来、傷口に貼る動物用傷保護具があった。
また、動物の首から外側に向けて防護壁を構成するように巻きつけるエリザベスカラーがあった。
【０００３】
【発明が解決しようとする課題】
これら従来技術にあっては、以下のような欠点があった。
傷口に貼る動物用傷保護具にあっては、動きの中ではがれてしまうことがあった。特に四足動物の場合は、人間に比べ長い体毛が全体を覆うため、人間と同様の効果を得ることができず、これを解決するためにはより強力な粘着材が必要となり、はがすときに痛みを伴うとともに、傷つける危険性があった。
また、どうしても口や舌で触る為、それが原因ではがれ、はがれた後の傷口をなめ、ばい菌の侵入につながることがあった。
エリザベスカラーにおいては、傷をなめることを防ぐことができるが、日常の動きの中で邪魔になり、本能の不満足感から食欲を減らしたり、外部に対して傷つける行動にでていた。また、動きのなかでエリザベスカラーがまわりのものにあたり、壊したり、傷つけたりしていた。
本発明はこれら欠点を解決するものである。
【０００４】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００５】
【課題を解決するための手段】
上記目的を達成するために、本発明は犬や猫等の四足動物の前足あるいは後足を挿入できる傷あて部を有する保護具本体と、該保護具本体を装着状態で体に固定する固定具とより構成される。
【０００６】
【発明の実施の形態】
以下、本発明の第一実施形態について、図１及び図２をもちいて説明する。
図１は本発明の斜視図、図２は本発明の使用状態図である。
図１において、傷あて具１ａは後足の形状に近似した収納形式となっている。生地としては、包帯やガーゼを同様の素材が適しているが、内側にガーゼ等を貼った場合などは特に素材が限定されるものではない。また、伸縮性のあるものなどが検討できる。伸縮性のある素材においては、犬毎に体型が異なった場合にも対応できるようになる。図１においては後脚の形状に近似させているが、前足に使用を考える場合は、その形状にあわせる。
足裏には、滑り止め２が設けられている。これはゴムなどの防滑性のあるもので、シート状あるいは点状に設ける。
傷あて具１ａの左右上部には、ベルト３が設けられている。一方のベルト先端には面ファスナー雄４ａが設けられ、他方のベルト先端の重なり合う位置には面ファスナー雌４ｂが設けられている。この際、少なくとも一方の面ファスナーの長さを長くすることで、位置調整できるようになっている。また、固定手段として、本事例では面ファスナーを利用しているが、ホックやボタン等通常利用される固定具を利用することも可能である。また、ベルト３としては、伸縮性を有するものを利用することも可能である。伸縮性を有するものである場合、より身体への装着感を向上させることが可能となる。
本発明は、以上の構成よりなっている。
これを使用するときは、図２に示すように、犬の負傷した足の傷部を隠すように足に傷あて具１ａを挿入して装着する。これを固定する場合は、ベルト３を体に巻きつけ、面ファスナーで体型に合わせて固定する。これにより、犬は自由に活動できるとともに、傷口をなめようとしても、この傷あて具が保護する為、ばい菌の侵入を防ぐことが可能となる。
【０００７】
以下、本発明の第二実施形態について図３をもちいて説明する。
図は、本発明の第二実施形態の斜視図である。
本事例においては、傷あて具１ｂの側面が開閉できるようになっている。開閉部には、お互いに止着できる面ファスナー４ｃ、４ｄが設けられている。これを使用するときは、開閉部を開いてここから足を挿入する。そして、足の形状にフィットするように閉じ、面ファスナーで止着する。
これにより、足に装着する際に傷口を刺激することがなくなり、優しく本発明を装着することが可能となる。また、足の形状にあわせて止着することができるため、ずれ落ち防止の役目も果たす。
【０００８】
以下、本発明の第三実施形態について図４をもちいて説明する。
図４は、本発明の第三実施形態の使用状態図である。
本発明においては、体への係止手段並びに、フィット感を向上させるための機能が加わったものである。
係止手段としては、背中にシート状に乗せるシート体からなる背あて部材５が設けられており、その左右側面部に面ファスナー４ｆが設けられている。
ベルト３は、この背あて部材５の面ファスナー４ｆに届く程度の長さとなっており、ベルト先端には、止着用の面ファスナーが別途設けられている。
傷あて具１ｃは第一実施形態と同様に袋状に形成されたものであるが、ある程度足の実寸より大きく構成することも可能である。そして、その側面に緊縛用の調整ベルト６が設けられている。この調整ベルト６の先端裏側には面ファスナー４ｅが設けられており、傷あて具１ｃの側面の設けられた面ファスナーと止着できるようになっている。また、傷あて具１ｃの開口部には、ゴムなどの伸縮性を有するものを利用して、固定を助ける役目のものを設けることも可能である。
本発明は、以上の構造よりなっている。
これを利用するときは、足に本発明を挿入し、背中に背あて部材５をのせ、背あて部材の面ファスナーと、ベルト３の面ファスナーにより、身体にあった位置でベルトを固定して装着する。
また、傷あて具１ｃはある程度足との間に空間部があるが、調整ベルト６により、体にフィットさせた状態とする。この調整ベルト６については図に示すように１つに限定されるものではなく、開口部やその他位置に設けたものであってもよい。但し、その位置が間接よりやや上位置にあった場合においては、よりずれ落ちを防ぐ効果をあげることができる。
【０００９】
以下、本発明の第三実施形態について図５及び図６をもちいて説明する。
図５は本発明の第四実施形態の斜視図、図６は本発明の第四実施形態の使用断面図である。
本発明において、傷あて具１ｄは袋状ではなく筒状となっている。これを傷部にあてた状態で図６のように装着する。この際、傷あて具１ｄの素材としては、前記各事例にあげたものが利用できるが好ましく伸縮性を有するものであることが望ましい。
また、第二実施に示すように面ファスナー等の止着構造を有した開閉式の帯状の形態も検討できる。これにより、体の大きさ形状に合わせて装着することが可能である。
以上、各種実施形態を説明したが、各構造要素についてはそれぞれ応用的に利用することも可能である。
【００１０】
【発明の効果】
以上の説明から明らかなように、本発明にあっては次に列挙する効果が得られる。
足の傷口を覆うように保護具本体が構成され、体に固定する固定具を有することで通常の各種動きをしていても傷を保護することが可能となった。
保護具側面に開閉手段を有することにより、より装着が楽になった。
保護具に足形状に近似させるための緊縛機構を設けることにより、身体にフィットした状態にすることが可能となり、動きの邪魔になったり、余分な保護具が周りのものに引っかかることを防ぐことが可能となった。
保護具が伸縮性素材よりなるものであることにより、装着性を向上させるとともに体系の違いにも適応できるようになった。
【図面の簡単な説明】
【図１】本発明の斜視図
【図２】本発明の使用状態図
【図３】本発明の第二実施形態の斜視図
【図４】本発明の第三実施形態の使用状態図
【図５】本発明の第四実施形態の斜視図
【図６】本発明の第四実施形態の使用断面図
【符号の説明】
１；１ａ；１ｂ；１ｃ；１ｄ  傷あて具、
２  滑り止め、                        ３  ベルト、
４；４ａ；４ｂ；４ｃ；４ｄ；４ｅ；４ｆ  面ファスナー、
５  背あて部材、                      ６  調整ベルト
【図１】
2004283530.tif 000003
【図２】
2004283530.tif 000004
【図３】
2004283530.tif 000005
【図４】
2004283530.tif 000006
【図５】
2004283530.tif 000007
【図６】
2004283530.tif 000008